(57)【要約】【課題】車椅子に固定できるテーブルにおいて、食事をすること、又は軽作業を行う等の単一機能だけでなく、生活必需品等が収納可能な収納機能を設け、尚且つ、車椅子への着脱が容易に行える、収納箱付き着脱式テーブルを提供することにある。【解決手段】車椅子等に取り付けられる着脱式テーブルにおいて、テーブルの底部であって左右両側に、固定ベルトが取り付けられた取り付けガイドを設けてテーブルと一体化され、テーブル面の中央部に四角形状の開口部を設け、この開口部の底部に収納箱を設け、テーブル上面には天板を設けることにより、テーブル上面を覆うと同時に開口部を塞ぎ、天板が開閉自在となるように開閉機構を備えることを特徴とする。【選択図】図７
0003158615.tif 000002
【実用新案登録請求の範囲】
【請求項１】
着脱式のテーブルにおいて、テーブルの底部であって左右両側に、固定ベルトが取り付けられた取り付けガイドを設け、テーブル面の中央部に四角形状の開口部を設け、この開口部と同じ大きさの開口部のある収納箱をテーブルの底部に設け、テーブル上面には開閉自在な天板を設けることを特徴とする収納箱付き着脱式テーブル。
【請求項２】
テーブルと天板の結合手段として、天板の奥側に設ける落下防止堰と天板とを一体として蝶番にて固定したことを特徴とする請求項１に記載の収納箱付き着脱式テーブル。
【考案の詳細な説明】
【技術分野】
【０００１】
本考案は車椅子に取り付けて使用するテーブル及びベッド、安楽椅子などスタンド型移動テーブルに収納箱を備えたテーブルに関する。
【背景技術】
【０００２】
闘病や介護又は脚が不自由等により、車椅子に依存した生活を余儀なくされている方においては、食事や趣味等のちょっとした作業を行うことに不便を感じており、車椅子への付属品として、利用者が車椅子に着座したまま食事や趣味を楽しめるようにするための補助テーブルが知られている。これは独立したテーブルとして車椅子と分離して使用するものや、テーブルを車椅子へ固定して使用するものがある。これらのテーブルの機能としては、物を置く又は軽作業を行う等の単機能に留まっているものが多く、利便性を向上したテーブル以外の機能が付属した補助テーブルが望まれている。
車椅子へ固定して利用するテーブルとしては、例えば、特開２００７−６９２５号には、テーブルを車椅子のアームレストに取り付けるための取り付け構造に関する技術が記載されているが、テーブル取り付けのためのレールの構造が主要な構成であり、本考案のテーブルとはテーブルの構成及びその取り付け構造が相違する。
【先行技術文献】
【特許文献】
【０００３】
【特許文献１】特開２００７−６９２５
【考案の概要】
【考案が解決しようとする課題】
【０００４】
車椅子に依存した生活を余儀なくされている方においては、車椅子に固定できるテーブルがあることだけでも利便性の向上に結びつくものであるが、食事をすること、又は軽作業を行う等の単一機能に留まることなく、生活必需品等の、例えば眼鏡や筆記具、又は定時的に飲む薬などが収納可能な収納機能と、車椅子への着脱が容易に行える構造の、収納箱付き着脱式テーブルを提供することにある。
【課題を解決するための手段】
【０００５】
車椅子等に取り付けられる着脱式テーブルにおいて、テーブルの底部であって左右両側に、固定ベルトが取り付けられた取り付けガイドを設けてテーブルと一体化され、テーブル面の中央部に四角形状の開口部を設け、この開口部の底部に収納箱を設け、テーブル上面には天板を設けることにより、テーブル上面を覆うと同時に開口部を塞ぎ、天板が開閉自在となるように開閉機構を備えることを特徴とする。
【０００６】
着脱式テーブルを車椅子等に取り付ける場合において、車椅子は利用者が着座して移動することが車椅子本来の目的であるため、その目的を妨げない構造でなければならない。よってテーブルの大きさに制約があるため、テーブルから物等が落下することを防止するためにテーブル周辺部に落下防止堰を設ける。
【０００７】
天板の開閉は、テーブル奥側の位置に蝶番にて天板と固定することにより開閉可能とし、天板材に樹脂板などを用いる場合、その樹脂板の厚さにより蝶番との結合強度が不足する恐れがあるため、テーブルの奥側に設ける落下防止堰と樹脂製の天板を一体として固定することで、取り付け強度を確保する。
【考案の効果】
【０００８】
本考案は以上のように構成したので、車椅子に着座した状態で、食事終了後に薬などを服用する際、又は生活必需品等を予めテーブルに備えられた収納箱に収納しておき、その時に必要なものが収納されおり利便性が高い。
【０００９】
本考案は車椅子使用時ばかりでなく、安楽椅子やソファーでリラックスしている時でも、収納箱付き着脱式テーブルを傍において、携帯電話や眼鏡、筆記具、などを収納しておくと物を取りに行く動作が省け効率的である。
【図面の簡単な説明】
【００１０】
【図１】本考案の一例の平面図
【図２】本考案の一例の底面図
【図３】本考案の一例の正面図
【図４】本考案の一例の背面図
【図５】本考案の一例の側面図
【図６】天板を垂直に開いた状態の一例の平面図
【図７】本考案の一例の斜視図
【図８】固定用ベルトで車椅子の肘掛部へ固定した状態を示す断面図
【図９】スタンドの一例の斜視図
【考案を実施するための形態】
【実施例１】
【００１１】
以下、本考案の実施例を図面に基づいて詳細に説明する。
【００１２】
図1から図５は本考案の一実施例を示している。図1は本考案の一例の平面図、
図2は本考案の一例の底面図、図３は本考案の一例の正面図、図４は本考案の一例の背面図、図５は本考案の一例の側面図である。
【００１３】
使用するテーブル１は車椅子への装着を考慮し、巾５０ｃｍ〜６０ｃｍ、奥行４０ｃｍ〜５０ｃｍ、厚さ１０ｍｍ〜２０ｍｍ程度の大きさの平板とし、テーブル面の中央部に四角形状の開口部を設ける。この開口部と同じ大きさの開口部を持つ収納箱４をテーブル底面からネジ、接着剤又はフック等で固定する。固定の手段はこれに限定するものではないが、収納箱４が収納物の重量により離脱しないことを考慮する。収納箱４の深さは１０ｃｍ〜１５ｃｍ程度が望ましい。テーブル１の材質は木材が望ましいが、樹脂製等これに限定するものではない。収納箱４は重量を考慮すると樹脂製が望ましいが、これに限定するものではない。
【００１４】
テーブル上面であって、左右及び奥側の周辺部３箇所には、テーブルの上に置いた物が落下しないよう、落下防止堰２を設ける。落下防止堰２は、巾略１ｃｍで、高さは１ｃｍ〜２ｃｍ、長さはテーブルの巾や奥行より短い程度とする。
【００１５】
テーブル１の上面には天板３を設け、テーブル１の開口部を塞ぐと同時に、テーブル上に物を置くことや軽作業ができる構成とし、天板３が開閉自在のように開閉機構を設ける。これにより、収納箱４へ収納した物等を出し入れ可能とする。天板３の開閉は、テーブル１の奥側部と天板１の奥側部を蝶番８により固定することにより行うものであるが、天板材に樹脂板などを用いる場合、その樹脂板の厚さにより蝶番８との結合強度が不足する恐れがあるため、テーブル１の奥側に設ける落下防止堰２と樹脂製の天板３を一体として固定することで、取り付け強度を確保する。
【００１６】
また、この落下防止堰２には、天板が向こう側へ倒れ込むことを防止するための、ブッシュ９を２箇所に設ける。テーブル１を開いた時、ある程度の位置にて、ブッシュ９がテーブル１の側面に当たり、テーブル１の回転を止めるものである。ブッシュ９の材質はゴム等の柔軟性のあるものが望ましい。
【００１７】
天板３の材質は樹脂製で、透明又は半透明色が望ましい。収納箱４に入れた物が天板３を開けなくても視認できるためである。天板３は巾がテーブル１の巾から左右の落下防止堰２の巾分を除いた長さで、奥行きはテーブル１と同等とし、厚さは１ｍｍ〜３ｍｍ程度が望ましい。
テーブル１の上面であって、天板３の手前側の端部付近に、天板３を開け易くするために、指先が入る程度の凹部１０を１〜2箇所設けてもよい。図６は天板を垂直に開いた状態の一例の平面図、図７は本考案の一例の斜視図である。
【００１８】
テーブル１の底部であって左右両側には、取り付けガイド５を設けテーブル１と一体化し、この取り付けガイド５の内側２箇所には、固定用ベルト６を取付ける。テーブル１の手前側であって、左右の側面には本体を車椅子等に固定する場合の固定用ベルト６を通すためのポール７を設ける。このポール７の構成は、円筒のパイプとパイプの内部を通る円柱のバーで構成され、パイプが回転することが可能な構成とする。
【００１９】
テーブル側に取付ける固定用ベルト６は、取り付けガイド５の内側であって、ポール７と並行する位置に取り付け、同様に取り付けガイド５の内側であって、取り付けガイド５の先端側にも固定用ベルト６を取付ける。また、固定用ベルトには面ファスナーを設ける。
【００２０】
車椅子に装着する際は、テーブル側の固定ベルト６を車椅子の肘掛部を巻き込むようにポール７へ向けて経路し、更にポール７の内側を経路して、固定用ベルトに設けた面ファスナーにより固定する。このときポール７のパイプが回転することにより、固定用ベルト６をきつく締付固定することができる。取り付けガイド５の先端側の固定用ベルト６も車椅子の肘掛部に巻きつけて、固定用ベルト６に設けた面ファスナーで固定することにより、車椅子等に装着する。図８は固定用ベルトで車椅子の肘掛部へ固定した状態の一例を示す断面図である。Aはポール７を利用したもの、Ｂは取り付けガイド５の先端側を示すものである。
【実施例２】
【００２１】
車椅子以外の本考案の利用方法として、本考案の収納箱付き着脱式テーブルを装着できるスタンドを用いて、このスタンドに装着することで、テーブル単体として車椅子の補助テーブルとしての利用も可能である。この場合移動のし易さを考慮して、スタンドにキャスター等を取付けてもよい。当然ながら、テーブル単体としての利用も可能である。
【００２２】
スタンドの高さを変えることにより、車椅子以外の安楽椅子、ソファー、折畳式の椅子等様々な椅子の補助テーブルとしての利用が可能である。
図９はスタンドの一例の斜視図である。
【産業上の利用可能性】
【００２３】
本考案の収納箱付き着脱式テーブルは、工業生産が可能である。また、車椅子を利用する医療機関や福祉施設等でも利用が可能である。
【符号の説明】
【００２４】
１  テーブル
２  落下防止堰
３  天板
４  収納箱
５  取り付けガイド
６  固定用ベルト
７  ポール
８  天板開き止用ブッシュ
９  蝶番
１０  凹部
１１  肘掛部
【図５】
0003158615.tif 000003
【図１】
0003158615.tif 000004
【図２】
0003158615.tif 000005
【図３】
0003158615.tif 000006
【図４】
0003158615.tif 000007
【図６】
0003158615.tif 000008
【図７】
0003158615.tif 000009
【図８】
0003158615.tif 000010
【図９】
0003158615.tif 000011